(57)【要約】【課題】飛び越し走査映像信号がフィルム素材及びビデオ素材のいずれから得られた信号であるのかを正しく判定する。【解決手段】映像信号再生装置であって、飛び越し走査映像信号と２フィールド前の前記映像信号との差を第１の差分として求め、前記映像信号と１フィールド前の前記映像信号との差を第２の差分として求める差分検出部と、所定の数の複数のフィールドにおいて求められた前記第１の差分を用いて、前記映像信号がフィルム素材及びビデオ素材のいずれから得られた信号であるかを判定し、その結果を第１の判定結果とする第１の素材判定部と、前記所定の数より少ない数の複数のフィールドにおいて求められた前記第２の差分を用いて、前記映像信号がビデオ素材から得られた信号であるか否かを判定し、その結果を第２の判定結果とする第２の素材判定部と、前記第１及び第２の判定結果に基づいて、これらのいずれかを選択する選択部とを有する。【選択図】図１
2008301206.tif 000002
【特許請求の範囲】
【請求項１】
飛び越し走査映像信号と２フィールド前の前記飛び越し走査映像信号との差を第１の差分として求め、前記飛び越し走査映像信号と１フィールド前の前記飛び越し走査映像信号との差を第２の差分として求める差分検出部と、
所定の数の複数のフィールドにおいて求められた前記第１の差分を用いて、前記飛び越し走査映像信号がフィルム素材及びビデオ素材のいずれから得られた信号であるかを判定し、その結果を第１の判定結果として出力する第１の素材判定部と、
前記所定の数より少ない数の複数のフィールドにおいて求められた前記第２の差分を用いて、前記飛び越し走査映像信号がビデオ素材から得られた信号であるか否かを判定し、その結果を第２の判定結果として出力する第２の素材判定部と、
前記第１及び第２の判定結果に基づいて、前記第１及び第２の判定結果のいずれかを選択する選択部と、
前記選択部で選択された判定結果に基づいて、前記飛び越し走査映像信号がビデオ素材から得られた信号及びフィルム素材から得られた信号のいずれであるかを、フィールド毎に判定するフィールド毎素材判定部と、
前記フィールド毎素材判定部での判定結果を用いて、前記飛び越し走査映像信号を順次走査映像信号に変換して出力する順次走査変換部とを備える
映像信号再生装置。
【請求項２】
請求項１に記載の映像信号再生装置において、
前記第２の素材判定部は、
前記第２の差分が第１の閾値以下であり、かつ、第２の閾値より大きい場合であって、前記飛び越し走査映像信号がビデオ素材から得られた信号であることを前記第２の判定結果が前記所定の数より少ない数の複数のフィールドにおいて連続して示している、という条件が満たされているときには、前記飛び越し走査映像信号がビデオ素材から得られた信号であると判定し、
前記第２の差分が第１の閾値以下であり、かつ、第２の閾値より大きい場合であって、前記条件が満たされていないとき、又は前記第２の差分が前記第２の閾値以下である場合には、前記飛び越し走査映像信号がビデオ素材から得られた信号ではないと判定する
ことを特徴とする映像信号再生装置。
【請求項３】
請求項２に記載の映像信号再生装置において、
前記第２の素材判定部は、
前記第２の差分が前記第１の閾値より大きく、かつ、前記飛び越し走査映像信号がフィルム素材から得られた信号であることを前記第１の判定結果が示している場合には、前記飛び越し走査映像信号がビデオ素材から得られた信号ではないと判定し、
前記第２の差分が前記第１の閾値より大きく、かつ、前記飛び越し走査映像信号がフィルム素材から得られた信号であることを前記第１の判定結果が示していない場合には、前記飛び越し走査映像信号がビデオ素材から得られた信号であると判定する
ことを特徴とする映像信号再生装置。
【請求項４】
請求項３に記載の映像信号再生装置において、
前記第２の素材判定部は、
前記第２の差分が前記第１の閾値より大きい状態が複数のフィールドにおいて連続しない場合には、前記飛び越し走査映像信号がビデオ素材から得られた信号ではないと判定する
ことを特徴とする映像信号再生装置。
【請求項５】
請求項３に記載の映像信号再生装置において、
前記第１の閾値は変更可能である
ことを特徴とする映像信号再生装置。
【請求項６】
請求項２に記載の映像信号再生装置において、
前記第２の閾値は変更可能である
ことを特徴とする映像信号再生装置。
【請求項７】
請求項１に記載の映像信号再生装置において、
前記選択部は、
前記飛び越し走査映像信号がビデオ素材から得られた信号であることが前記第１の判定結果に示されておらず、かつ、前記飛び越し走査映像信号がビデオ素材から得られた信号であることが前記第２の判定結果に示されている場合には、前記第２の判定結果を選択し、
前記飛び越し走査映像信号がビデオ素材から得られた信号であることが前記第１の判定結果に示されている場合、又は、前記飛び越し走査映像信号がビデオ素材から得られた信号であることが前記第２の判定結果に示されていない場合には、前記第１の判定結果を選択する
ことを特徴とする映像信号再生装置。
【発明の詳細な説明】
【技術分野】
【０００１】
本発明は、飛び越し走査映像信号を順次走査映像信号に変換する映像信号再生装置に関する。
【背景技術】
【０００２】
光ディスク（例えばＤＶＤ（digital versatile disc））、ビデオテープ、衛星放送、地上波放送等から得られた飛び越し走査映像信号は、より鮮明な表示のために、順次走査映像信号に変換されることが多い。その際、画質のよい映像信号を得るためには、飛び越し走査映像信号が、フィルム素材（例えば毎秒２４フレームの映画フィルム）及びビデオ素材（例えば毎秒３０フレームのビデオ信号）のいずれから生成された信号であるのかという情報が必要である。
【０００３】
図１２は、フィルム素材から得られた飛び越し走査映像信号が与えられている場合について、その素材の判定が行われるときの信号例を示すタイミングチャートである。フィルム素材及びこれから得られた飛び越し走査映像信号ＩＳのフレームレートは、それぞれ毎秒２４フレーム及び毎秒３０フレームであるとする。フィルム素材におけるフレーム番号ＮＩＳがｎ，ｎ＋２，ｎ＋４，…のフレームは、それぞれ飛び越し走査映像信号ＩＳの３フィールドに対応し、フレーム番号ＮＩＳがｎ＋１，ｎ＋３，ｎ＋５，…のフレームは、それぞれ飛び越し走査映像信号ＩＳの２フィールドに対応している。このため、フレームｎでは、同じトップフィールドが２回繰り返され、フレームｎ＋２では、同じボトムフィールドが２回繰り返されている。
【０００４】
垂直同期信号ＶＳＹＮに同期して、画像内の座標（ｘ，ｙ）の画素の値について、現在のフィールドと２フィールド前のフィールドとの間での差分ＤＦ１が求められる。差分ＤＦ１が閾値Ａよりも小さい場合には、差分ＤＦ１の値を０と見なす（差分ＤＲ１）例えば、差分Ｓ８＜閾値Ａである場合にはＳ８＝０と見なす。この場合、リピート信号ＲＤを“１”にして、現在のフィールドと２フィールド前のフィールドとが一致することを示す。
【０００５】
リピート信号ＲＤが５フィールド毎に“１”になる場合には、飛び越し走査映像信号ＩＳの素材はフィルム素材であると判定される。このようなリピート信号ＲＤの周期性が検出されない場合には、飛び越し走査映像信号ＩＳの素材はビデオ素材であると判定される。このようにして、判定結果ＤＳ１を得ることができる。
【０００６】
差分Ｓ８に対応するフィールドが動きの多いシーンに含まれているとする。このようなシーンにおいては、差分Ｓ８を含めて差分の値が大きくなる。このような場合でも実質的に同じフィールドが繰り返されていることを検出することができるように（Ｓ８＜Ａとなるように）、閾値Ａの値を設定しておく必要がある。
【０００７】
図１３は、ビデオ素材から得られた飛び越し走査映像信号が与えられている場合について、その素材の判定が行われるときの信号例を示すタイミングチャートである。図１３においては、飛び越し走査映像信号ＩＳのあるフィールドとその２フィールド前のフィールドとは、必ず異なるフレームに対応している。
【０００８】
例えば、第ｎ＋２フレームから第ｎ＋４フレームが動きの少ないシーンであるとする。動きの少ないシーンであるので、この期間の差分Ｓ５〜Ｓ１０の値は小さい。つまり、Ｓ５＜Ａ、Ｓ１０＜Ａが満たされることがあり、このとき、リピート信号ＲＤは５フィールド毎に“１”となる。すると、飛び越し走査映像信号ＩＳはフィルム素材から得られた信号であると判定されてしまう（特許文献１参照）。
【特許文献１】特開２０００−１８８７１８号公報
【発明の開示】
【発明が解決しようとする課題】
【０００９】
このように、閾値を１つ設定して飛び越し走査映像信号について素材の判定が行われる際には、誤った判定がされることがあるという問題があった。また、フィルム素材から得られた信号であるという判定と、ビデオ素材から得られた信号であるという判定との切り替えに、数フィールドの期間が必要であり、その期間中は画像が乱れるという問題もあった。更に、一旦判定を誤った場合には、正しい判定結果を得るまでに数フィールドの期間が必要であった。
【００１０】
本発明は、飛び越し走査映像信号がフィルム素材及びビデオ素材のいずれから得られた信号であるのかを、正しく判定することを目的とする。
【課題を解決するための手段】
【００１１】
本発明に係る映像信号再生装置は、飛び越し走査映像信号がどのような種類の素材から得られた信号であるかを判定する第１及び第２の素材判定部を有し、得られた判定結果のいずれかを選択する。前記第１の素材判定部は、前記飛び越し走査映像信号と２フィールド前の前記飛び越し走査映像信号との差を用いて判定する。前記第２の素材判定部は、前記飛び越し走査映像信号と１フィールド前の前記飛び越し走査映像信号との差を用いて判定する。
【００１２】
より具体的には、本発明に係る映像信号再生装置は、飛び越し走査映像信号と２フィールド前の前記飛び越し走査映像信号との差を第１の差分として求め、前記飛び越し走査映像信号と１フィールド前の前記飛び越し走査映像信号との差を第２の差分として求める差分検出部と、所定の数の複数のフィールドにおいて求められた前記第１の差分を用いて、前記飛び越し走査映像信号がフィルム素材及びビデオ素材のいずれから得られた信号であるかを判定し、その結果を第１の判定結果として出力する第１の素材判定部と、前記所定の数より少ない数の複数のフィールドにおいて求められた前記第２の差分を用いて、前記飛び越し走査映像信号がビデオ素材から得られた信号であるか否かを判定し、その結果を第２の判定結果として出力する第２の素材判定部と、前記第１及び第２の判定結果に基づいて、前記第１及び第２の判定結果のいずれかを選択する選択部と、前記選択部で選択された判定結果に基づいて、前記飛び越し走査映像信号がビデオ素材から得られた信号及びフィルム素材から得られた信号のいずれであるかを、フィールド毎に判定するフィールド毎素材判定部と、前記フィールド毎素材判定部での判定結果を用いて、前記飛び越し走査映像信号を順次走査映像信号に変換して出力する順次走査変換部とを有する。
【００１３】
これによると、第２の素材判定部を有しているので、第１の素材判定部のみでは正しい判定ができない場合であっても、第２の素材判定部による判定結果を採用して、正しい判定結果を得ることができる。
【発明の効果】
【００１４】
本発明によれば、２つの素材判定部を用いるので、飛び越し走査映像信号がフィルム素材及びビデオ素材のいずれから得られた信号であるのかを、正しく判定することができる。したがって、飛び越し走査映像信号を順次走査映像信号に正確に変換することができ、画質を改善することができる。
【発明を実施するための最良の形態】
【００１５】
以下、本発明の実施の形態について、図面を参照しながら説明する。
【００１６】
図１は、本発明の実施形態に係る映像信号再生装置の構成を示すブロック図である。図１の映像信号再生装置は、飛び越し走査映像信号再生部１８と、差分検出部２０と、メモリ２４，３８と、第１の素材判定部２６と、第２の素材判定部２８と、選択部３２と、フィールド毎素材判定部３４と、順次走査変換部３６と、Ｄ／Ａコンバータ４２とを有している。
【００１７】
以下では例として、フィルム素材は、毎秒２４フレームの映画フィルムであり、ビデオ素材は、毎秒３０フレームのビデオ信号であるとする。飛び越し走査映像信号ＩＳは、毎秒６０フィールドのビデオ信号であるとする。これらの毎秒のフレーム数及びフィールド数は一例であって、他の数であってもよく、その場合には以下の説明におけるフィールドの数等を適切な値にすればよい。
【００１８】
ディスク１２には、フィルム素材又はビデオ素材から得られた映像信号が記録されている。ディスク回転装置１４は、ディスク１２を再生に適した回転速度で回転させる。ピックアップ１６は、ディスク１２に記録された信号を読み取り、電気的信号に変換する。飛び越し走査映像信号再生部１８は、ピックアップ１６で得られた信号に対して復調及び復号化を行い、得られた飛び越し走査映像信号ＩＳを出力する。
【００１９】
メモリ２４は、飛び越し走査映像信号ＩＳを数フィールド分格納する。差分検出部２０は、メモリ２４から読み出された画像データＭＡと飛び越し走査映像信号ＩＳとに基づいて、現在のフィールドと２フィールド前のフィールドとの差分ＤＦ１及び現在のフィールドと１フィールド前のフィールドとの差分ＤＦ２を検出し、第１及び第２の素材判定部２６，２８にそれぞれ出力する。
【００２０】
第１の素材判定部２６は、複数のフィールドにおいて求められた差分ＤＦ１を用いて、飛び越し走査映像信号ＩＳの素材を判定（すなわち、飛び越し走査映像信号ＩＳがどのような種類の素材から得られた信号であるかを判定）して、その判定結果ＤＳ１を出力する。また、第１の素材判定部２６は、差分ＤＦ１が０であることを検出した場合には、リピート信号ＲＤを“１”にする。第２の素材判定部２８は、第１の素材判定部２６より少ない数の複数のフィールドにおいて求められた差分ＤＦ２を用いて飛び越し走査映像信号ＩＳの素材を判定して、その判定結果ＤＳ２を出力する。
【００２１】
選択部３２は、判定結果ＤＳ１及びＤＳ２のいずれか一方を選択して出力する。フィールド毎素材判定部３４は、選択部３２で選択された判定結果ＤＳに従って、飛び越し走査映像信号ＩＳの素材の判定をフィールド毎に行い、その結果を出力する。
【００２２】
第１及び第２の素材判定部２６，２８は、画素毎に判定を行い、選択部３２は、画素毎に選択を行う。フィールド毎素材判定部３４は、例えば、あるフィールドについて得られた判定結果のうち、最も数が多いものをそのフィールドの判定結果とする。
【００２３】
順次走査変換部３６は、メモリ３８を用いて、フィールド毎素材判定部３４の判定結果及びリピート信号ＲＤに従って、飛び越し走査映像信号再生部１８で得られた飛び越し走査映像信号ＶＳを順次走査映像信号に変換する。Ｄ／Ａコンバータ４２は、順次走査映像信号をアナログ信号に変換し、映像表示装置等（図示せず）に出力する。
【００２４】
図２は、図１の差分検出部２０が参照する画素値についての説明図である。図２において、画素値Ｐｎ（ｘ，ｙ）は、第ｎフィールドの第ｙラインにおけるｘ番目（座標（ｘ，ｙ））の画素の値（ｎ，ｘ，ｙは自然数）である。画素値Ｐｎ−１（ｘ，ｙ），Ｐｎ−２（ｘ，ｙ）は、それぞれ第ｎ−１フィールド及び第ｎ−２フィールドにおける、画素値Ｐｎ（ｘ，ｙ）に対応する位置の画素の値である。
【００２５】
図３は、図１の差分検出部２０の構成例を示すブロック図である。差分検出部２０は、計算部２１，２２を有している。飛び越し走査映像信号再生部１８から飛び越し走査映像信号ＩＳとして第ｎフィールドの信号が出力されているときに、メモリ２４には、飛び越し走査映像信号ＩＳの第ｎ−１フィールド及び第ｎ−２フィールドの信号が格納されている。
【００２６】
計算部２１は、メモリ２４から画像データＭＡとして読み出された信号と飛び越し走査映像信号ＩＳとに基づいて、差分Ｓｎ（ｘ，ｙ）＝｜Ｐｎ（ｘ，ｙ）−Ｐｎ−２（ｘ，ｙ）｜を求め、差分ＤＦ１として第１の素材判定部２６に出力する。計算部２２は、メモリ２４から画像データＭＡとして読み出された信号と飛び越し走査映像信号ＩＳとに基づいて、差分Ｓ’ｎ（ｘ，ｙ）＝｜Ｐｎ（ｘ，ｙ）−Ｐｎ−１（ｘ，ｙ）｜を求め、差分ＤＦ２として第２の素材判定部２８出力する。
【００２７】
図４は、図１の第１の素材判定部２６における処理を示すフローチャートである。ステップＳＴ１２において、第１の素材判定部２６は、Ｓｎ（ｘ，ｙ）＜Ａ（Ａは実数である閾値）が満たされているか否かを判断する。満たされている場合にはステップＳＴ１４に、満たされていない場合にはステップＳＴ１６に進む。ステップＳＴ１４では、第１の素材判定部２６は、リピート信号ＲＤを次の垂直同期信号ＶＳＹＮまで“１”にし、更にＳｎ（ｘ，ｙ）に０を代入する。
【００２８】
ステップＳＴ１６では、第１の素材判定部２６は、リピート信号ＲＤが５フィールド毎に“１”となっているか否かを判断する。リピート信号ＲＤが５フィールド毎に“１”となっている、と判断した場合には、ステップＳＴ１７に進み、なっていないと判定した場合には、ステップＳＴ１８に進む。
【００２９】
ステップＳＴ１７では、第１の素材判定部２６は、飛び越し走査映像信号ＩＳがフィルム素材から得られた信号であると判定し、その結果を判定結果ＤＳ１として出力する。ステップＳＴ１８では、第１の素材判定部２６は、飛び越し走査映像信号ＩＳがビデオ素材から得られた信号であると判定し、その結果を判定結果ＤＳ１として出力する。リピート信号ＲＤが“１”となっているが、５フィールド毎に“１”となっていることが確認できていない場合には、第１の素材判定部２６は、ステップＳＴ１６で検出を続ける。ステップＳＴ１７，ＳＴ１８の後、ステップＳＴ１２に戻る。
【００３０】
図５は、フィルム素材から得られた飛び越し走査映像信号が与えられている場合における図１の第１の素材判定部２６の入出力の例を示すタイミングチャートである。画像データＭＡとしては、飛び越し走査映像信号ＩＳの２フィールド前のフィールドの信号を示している（以下のフローチャートにおいても同様である）。
【００３１】
フィルム素材におけるフレーム番号ＮＩＳがｎ，ｎ＋２，ｎ＋４，…のフレームは、それぞれ飛び越し走査映像信号ＩＳの３フィールドに対応し、フレーム番号ＮＩＳがｎ＋１，ｎ＋３，ｎ＋５，…のフレームは、それぞれ飛び越し走査映像信号ＩＳの２フィールドに対応している。このため、第ｎ，第ｎ＋４フレームでは、同じトップフィールドが２回繰り返され、第ｎ＋２フレームでは、同じボトムフィールドが２回繰り返されている。
【００３２】
例えば、第ｎ＋１フレームから第ｎ＋３フレームまでが動きの多いシーンであるとする。このとき、差分Ｓ４〜Ｓ１０は大きな値となる。復号化されて得られた飛び越し走査映像信号ＩＳにおいては、第ｎ＋２フレームの差分Ｓ８は０にはならず、動きの多いシーンにおいては差分Ｓ８の値も大きくなる。このような場合でも実質的に同じフィールドが繰り返されていることを検出することができるように（Ｓ８＜Ａとなるように）、閾値Ａの値を設定しておく。
【００３３】
第ｎフレームの２回目のトップフィールドにおいては、差分Ｓ３はＳ３＜Ａを満たすので、第１の素材判定部２６は、リピート信号ＲＤを次の垂直同期信号ＶＳＹＮまで“１”にし、更にＳ３＝０にする。第ｎ＋２フレームの２回目のボトムフィールド、及び第ｎ＋４フレームの２回目のトップフィールドにおいても、同様に、第１の素材判定部２６は、リピート信号ＲＤを“１”にする。したがって、リピート信号ＲＤが５フィールド毎に“１”となっている。第ｎフレームより前においてもリピート信号ＲＤが５フィールド毎に“１”となっているとすると、第１の素材判定部２６は、飛び越し走査映像信号ＩＳがフィルム素材から得られた信号であると判定し続ける。
【００３４】
図６は、ビデオ素材から得られた飛び越し走査映像信号が与えられている場合における図１の第１の素材判定部２６の入出力の例を示すタイミングチャートである。この場合には、飛び越し走査映像信号ＩＳと、その２フィールド前のフィールドの信号とは、必ず異なるフィールドの信号である。
【００３５】
ここで、例えば第ｎ＋２フレームから第ｎ＋４フレームまでが動きの少ないシーンであるとすると、差分Ｓ５〜Ｓ１０は小さな値となる。Ｓ５＜Ａ、及びＳ１０＜Ａが成り立つとすると、差分Ｓ５，Ｓ１０に対応するフィールドにおいて、第１の素材判定部２６はリピート信号ＲＤを“１”にする。すると、第１の素材判定部２６は、判定結果ＤＳ１として、差分Ｓ４に対応するフィールドまでは飛び越し走査映像信号ＩＳがビデオ素材から得られた信号であるという判定結果を出力するが、差分Ｓ５〜Ｓ９に対応するフィールドでは判定中であることを示す判定結果を出力し、差分Ｓ１０〜Ｓ１４に対応するフィールドでは飛び越し走査映像信号ＩＳがフィルム素材から得られた信号であるという正しくない判定結果を出力することになる。
【００３６】
図７は、図１の第２の素材判定部２８における処理を示すフローチャートである。閾値ａ，ｃの間には、ｃ＞ａの関係があるとする。ステップＳＴ２２では、第２の素材判定部２８は、Ｓ’ｎ（ｘ，ｙ）＞ｃが満たされているか否かを判断する。満たされている場合にはステップＳＴ２４に、満たされていない場合にはステップＳＴ３２に進む。
【００３７】
ステップＳＴ２４では、第２の素材判定部２８は、Ｓ’ｎ（ｘ，ｙ）＞ｃが２フィールド以上連続して満たされているか否かを判断する。満たされている場合にはステップＳＴ２６に、満たされていない場合にはステップＳＴ３８に進む。ステップＳＴ２６では、第２の素材判定部２８は、飛び越し走査映像信号ＩＳがフィルム素材から得られた信号であるという判定が第１の素材判定部２６で行われているか否かを判断する。そのような判定が行われている場合にはステップＳＴ３８に、行われていない場合にはステップＳＴ２８に進む。
【００３８】
ステップＳＴ２８では、第２の素材判定部２８は、飛び越し走査映像信号ＩＳがビデオ素材から得られた信号であると判定し、その結果を判定結果ＤＳ２として出力する。ステップＳＴ３８では、第２の素材判定部２８は、飛び越し走査映像信号ＩＳがビデオ素材から得られた信号ではないと判定し、その結果を判定結果ＤＳ２として出力する。ステップＳＴ２８，ＳＴ３８の後、ステップＳＴ２２に戻る。
【００３９】
ステップＳＴ３２では、第２の素材判定部２８は、Ｓ’ｎ（ｘ，ｙ）＞ａが満たされているか否かを判断する。満たされている場合にはステップＳＴ３４に、満たされていない場合にはステップＳＴ３８に進む。ステップＳＴ３４では、第２の素材判定部２８は、飛び越し走査映像信号ＩＳがビデオ素材から得られた信号であるという判定が第２の素材判定部２８で３フィールド連続して行われているか否かを判断する。そのような判定が３フィールド連続して行われている場合にはステップＳＴ２８に、行われていない場合にはステップＳＴ３８に進む。
【００４０】
ここで、３フィールド連続してというのは一例である。リピート信号ＲＤが５フィールド毎に“１”となっているか否かが第１の素材判定部２６によって判断されるので、４以下の所定の数のフィールド以上連続することを条件としてもよい。
【００４１】
図８は、ビデオ素材から得られた飛び越し走査映像信号が与えられている場合における図１の第２の素材判定部２８の入出力の例を示すタイミングチャートである。図６の場合と同様に、第ｎ＋２フレームから第ｎ＋４フレームまでは動きの少ないシーンであるとすると、差分Ｓ’５〜Ｓ’１０は小さな値となる。
【００４２】
差分Ｓ’５〜Ｓ’１０が閾値ｃ以下であっても、閾値ａより大きい値であり、かつ、図７のステップＳＴ３４の条件を満たす場合には、第２の素材判定部２８は、飛び越し走査映像信号ＩＳがビデオ素材から得られた信号であるという判定結果ＤＳ２を出力する。また、その後、差分Ｓ’１１〜Ｓ’１６が閾値ｃより大きい値であっても、Ｓ’ｎ（ｘ，ｙ）＞ｃが２フィールド以上連続して満たされ、飛び越し走査映像信号ＩＳがフィルム素材から得られた信号であるという判定が第１の素材判定部２６で行われていない場合には、第２の素材判定部２８は、飛び越し走査映像信号ＩＳがビデオ素材から得られた信号であるという判定結果ＤＳ２を出力する。
【００４３】
図９は、図１の選択部３２における処理を示すフローチャートである。ステップＳＴ４２では、飛び越し走査映像信号ＩＳがビデオ素材から得られた信号であることが判定結果ＤＳ１に示されておらず、かつ、飛び越し走査映像信号ＩＳがビデオ素材から得られた信号であることが判定結果ＤＳ２に示されている、という条件が満たされているか否かを、選択部３２は判断する。満たされている場合にはステップＳＴ４６に進み、満たされていない場合にはステップＳＴ４４に進む。
【００４４】
ステップＳＴ４４では、選択部３２は、判定結果ＤＳ１を選択して出力する。ステップＳＴ４６では、選択部３２は、判定結果ＤＳ２を選択して出力する。ステップＳＴ４４，ＳＴ４６の後、ステップＳＴ４２に戻る。
【００４５】
図１０は、ビデオ素材から得られた飛び越し走査映像信号が与えられている場合における図１の選択部３２の入出力の例を示すタイミングチャートである。図１０では、図６及び図８の内容と、選択部３２で選択された判定結果ＤＳとが示されている。
【００４６】
第ｎフレーム、第ｎ＋１フレーム及び第ｎ＋７フレームでは、判定結果ＤＳ１，ＤＳ２はいずれも、飛び越し走査映像信号ＩＳがビデオ素材から得られた信号であることを示しているので、選択部３２は判定結果ＤＳ１を選択する。
【００４７】
第ｎ＋２フレームから第ｎ＋４フレームまでは動きの少ないシーンである。図６を参照して説明したように、第ｎ＋２フレームから第ｎ＋６フレームまでは、判定結果ＤＳ１は、飛び越し走査映像信号ＩＳがビデオ素材から得られた信号であることを示していない。図８を参照して説明したように、この期間においても、判定結果ＤＳ２は、飛び越し走査映像信号ＩＳがビデオ素材から得られた信号であることを示している。
【００４８】
したがって、選択部３２は判定結果ＤＳ２を選択する。この結果、第ｎフレームから第ｎ＋７フレームまでの全てにおいて、飛び越し走査映像信号ＩＳがビデオ素材から得られた信号であることを示す判定結果ＤＳが出力される。
【００４９】
また、第２の素材判定部２８は、第１の素材判定部２６よりも素早く判定結果ＤＳ２を切り替えることができるように構成されているので、判定結果ＤＳの切り替えが早くなる他、もし判定結果ＤＳが誤っていても、正しい判定結果を得るまでに要する期間を短くすることができる。
【００５０】
図１１は、フィルム素材から得られた飛び越し走査映像信号が与えられている場合における図１の選択部３２の入出力の例を示すタイミングチャートである。図５を参照して説明したように、判定結果ＤＳ１は、飛び越し走査映像信号ＩＳがフィルム素材から得られた信号であることを示している。したがって、選択部３２は判定結果ＤＳ１を選択する。この結果、第ｎフレームから第ｎ＋７フレームまでの全てにおいて、飛び越し走査映像信号ＩＳがフィルム素材から得られた信号であることを示す判定結果ＤＳが出力される。
【００５１】
以上のように、本実施形態の映像信号再生装置によると、第１の素材判定部２６のみではなく、第２の素材判定部２８をも有しているので、飛び越し走査映像信号ＩＳがフィルム素材及びビデオ素材のいずれから得られた信号であるのかを正しく判定することができる。
【００５２】
なお、ＣＰＵ（central processing unit）等のプロセッサにソフトウエアを実行させることによって、図１の映像信号再生装置の各構成要素を実現するようにしてもよい。
【産業上の利用可能性】
【００５３】
以上説明したように、本発明は、飛び越し走査映像信号を順次走査映像信号に変換する場合に画質を改善することができるので、デジタルテレビ受像機、ＤＶＤプレーヤ、デジタルビデオレコーダ、車載映像機器等について有用である。
【図面の簡単な説明】
【００５４】
【図１】本発明の実施形態に係る映像信号再生装置の構成を示すブロック図である。
【図２】図１の差分検出部が参照する画素値についての説明図である。
【図３】図１の差分検出部の構成例を示すブロック図である。
【図４】図１の第１の素材判定部における処理を示すフローチャートである。
【図５】フィルム素材から得られた飛び越し走査映像信号が与えられている場合における図１の第１の素材判定部の入出力の例を示すタイミングチャートである。
【図６】ビデオ素材から得られた飛び越し走査映像信号が与えられている場合における図１の第１の素材判定部の入出力の例を示すタイミングチャートである。
【図７】図１の第２の素材判定部における処理を示すフローチャートである。
【図８】ビデオ素材から得られた飛び越し走査映像信号が与えられている場合における図１の第２の素材判定部の入出力の例を示すタイミングチャートである。
【図９】図１の選択部における処理を示すフローチャートである。
【図１０】ビデオ素材から得られた飛び越し走査映像信号が与えられている場合における図１の選択部の入出力の例を示すタイミングチャートである。
【図１１】フィルム素材から得られた飛び越し走査映像信号が与えられている場合における図１の選択部の入出力の例を示すタイミングチャートである。
【図１２】フィルム素材から得られた飛び越し走査映像信号が与えられている場合について、その素材の判定が行われるときの信号例を示すタイミングチャートである。
【図１３】ビデオ素材から得られた飛び越し走査映像信号が与えられている場合について、その素材の判定が行われるときの信号例を示すタイミングチャートである。
【符号の説明】
【００５５】
２０  差分検出部
２６  第１の素材判定部
２８  第２の素材判定部
３２  選択部
３４  フィールド毎素材判定部
３６  順次走査変換部
【図１】
2008301206.tif 000003
【図２】
2008301206.tif 000004
【図３】
2008301206.tif 000005
【図４】
2008301206.tif 000006
【図５】
2008301206.tif 000007
【図６】
2008301206.tif 000008
【図７】
2008301206.tif 000009
【図８】
2008301206.tif 000010
【図９】
2008301206.tif 000011
【図１０】
2008301206.tif 000012
【図１１】
2008301206.tif 000013
【図１２】
2008301206.tif 000014
【図１３】
2008301206.tif 000015